(57)【要約】      （修正有）【課題】ゴルフ等の基本のスイングを基本を示した動く人形と説明書で学び一挙に上達する解説書付ベストスイング電動人形を提供する。【解決手段】スタートボタンと停止ボタンとを有する操作盤と当該操作盤上の前記ボタンにより操作可能な電動式人形とからなるベストスイング電動式人形であって、当該人形は前記スタートボタンを押すことでゴルフ等各スポーツのベストスイング動作をし、前記停止ボタンを押すことで前記動作中の各スイングポイントで停止作動することが可能であり、各要点を説明する。【選択図】図１
0003207334.tif 000002
【実用新案登録請求の範囲】
【請求項１】
ゴルフ等各スポーツのベストスイングを作動し各要点を遠隔停止操作する解説書付ベストスイング電動式人形
【考案の詳細な説明】
【技術分野】
【０００１】  本考案は、スポーツのベストスイング人形に関する。
【背景技術】
【０００２】  スポーツのゴルフ、野球、テニス、卓球、バトミントン等（以下、「ゴルフ等」と称す）で初心者、中級者、上級者ともにスイングの基本を理解せずまた基本を忘れ我流となり悩んでいることから基本と理想的なスイングを人形と解説書でリモートコントロールとボタンで停止させ自己の欠点を学び理解しスイングを見直すものである。
【考案の概要】
【考案が解決しようとする課題】
【０００３】  ゴルフ等のスィングの基本を理解せず又は我流でいつまでも「上達しない」の悩みを基本を示した動く人形と解説書で学び一挙に上達するものである。
【課題が解決するための手段】
【０００４】  ゴルフ等各スポーツのベストスイングを作動し各要点を遠隔停止操作する解説書付ベストスイング電動式人形
【考案の効果】
【０００５】  各スポーツ専門雑誌では停止写真でのスイングの説明は有るが一連の全体のスイングの動きの形は理解困難である。また自己のスイングの欠点は気が付かないものである。基本で理想のスイングの電動人形でその形を観て初めて自己の間違いを見つけ覚え真似をして練習をすれば上達するのである。ゴルフ等スィングでゴルフ等の初心者はその基本を知り中級者と上級者はつい我流のスィングに陥り安定したショットが打てなくなりスランプになることからその際このゴルフ等ベストスィング電動人形で再度確認し忘れていたりした基本に戻りベストショットが打てるのである。
【図面の簡単な説明】
【０００６】（種々スポーツのスイングはあるがゴルフスイングを例題として示す）
【図】  本考案に係るゴルフベストスィング電動人形図である。
【図１】  アドレス
【図２】  スタンス
【図３】  トップ
【図４】  フィ二ッシュ
【図５】  電動人形とスィング操作盤
【図６】  解説書
【符号の説明】
【０００８】図１  １…ヘッド  ２…肩  ３…胸と臍  ４…腰  ５…膝  ６…スタンス  ７…足先
【考案を実施するための形態】
【０００５】  ゴルフスイングの電動人形であり、操作盤の番号操作で一連のスイングと各部位の基本を解説書でアドレスからフィニッシュまでを観察し「ベストスイングとは何か？」を理解しょうとするものである。図１は人形の全体面である。図２と図３はスイング作動中停止画面である。図４の操作盤上の電源とスタートボタンを押すと停止ボタンを押すまではアドレスからフィニッシュまで理想的なスイングを連続作動し続け何度も繰り返しより理想的なスイングが理解される。
人形は有線かバッテリー式（電池式）で作動し人形から離れた場所の操作盤でスイングの部位と番号を表示した作動盤で操作する。説明書を添付する。
スイング全体の主要ポイントを説明する解説書図６「ゴルフ上達解決書」とする。
解説書は極簡易に記載し基本部分を表示する。細部は市販のゴルフ専門誌に任かせる。本件の解説書の記載内容は次のとおりとする。
図１・２  スタンス…  ☆  身体の何処の力も抜きましょう。
☆  ゴルフボールは「ピンポン玉」を打つ気持ちです。
☆  特に肩と腕の力を抜きましょう。
図１の１  ヘッド  …  ☆  ヘッドは前後左右上下「終始不動」です
図１の２  肩      …  ☆  両肩は平衡です。特にバックスイングで左肩が下がったりダ                        ウンスイングで右肩が下がっていませんか。
図１の３  胸・臍  …  ☆  原則として終始ゴルフボールを見ています。
図１の４  アドレスと腰・膝
☆  スタンスは飛球方向かその都度チェックしましょう。
☆  腰は後方に引くのでなく椅子に少し腰かける形です。
☆  身体は突っ立たずやや前かがみになりましょう。
☆  両膝は内側に軽く絞りましょう。これは身体の軸を守りブレ                        を防ぎボールを遠く正確に飛ばす為です。
☆  両腕は「モンキースタイル」でダランと自然に垂れ両肘を曲                        げ力を抜きましょう。両腕を突っ張ってはいけません。
☆  ボールとグリップは握りこぶし一個の間隔です。
☆  ダウンスイングでアウトサイドから入らないよう右の肘を軽                        く胸に付けましょう。
☆  グリップは両手の平を合わせると最も力が発揮しますのでク                        ラブを握り両手の親指と人差指の三角が右肩を指すようにしま                        しょう。
☆  グリップの握る硬さは「小鳥のカナリア」を強く握ると死に                        弱く握ると飛んで逃げます。友人などにクラブをヘッド方向か                        ら引っ張って貰い抜けるか抜けないか位の強さにしましょう。
右手は添えているだけで左手の小指と薬指だけで軽く握りま                        しょう。
図１の５    スタンス  ☆  両肩より少し広めが身体の回転スイングが安定します。
☆  スライスを打つ時は左足先を開きオープンにしドローを打つ                        時は足先を閉じクローズにします。
（  バックスイング）  ☆  腕でパターを引っ張らず両肩で飛球方向反対側に真っすぐ引                        き両腕が伸び切った時に左手親指方向にトップまで上げます。                        右手の平が空を向く「出前持ち」の形です。
「出前持ち」の形にすると、「バックスイングが足りない」「                        オーバースイング」「クラブヘッドの方向が悪い」等の変形の                        トップの形が全て解決されます。
☆  腰と右膝の右側へのスエイに気を付けましょう。
☆  右腰は横ではなく後方に引く感じです。
☆  左肩は右足の上に来るまで十分に回しましょう。
☆  トップまでは全く力が必要なくトップの位置でも力はゼロで                        す。
（ダウンスイング）    ☆  ボールを遠くに正確に飛ばすのは、体力や腕の力では、無い                        ことを理解しましょう。
小柄で力の無い女子プロが何故２６０ヤードの飛距離と正確                        にフェアーウェイやグリーンに打てるのでしょうかを考えまし                        ょう。
☆  それは体力ではなく身体の回転の重力（独楽の原理）とクラ                        ブに「仕事をさせている」からです。
☆  ダウンスイングで最初に動くのは体重移動です。
☆  体重移動はバックスイングで引いた右のお尻と左のお尻を入                        れ替えるだけです。
☆  決して最初に右肩を突っ込みクラブヘッドをボールにぶっつ                        けてはなりません。
☆  グリップエンドをボールに向かって打ち込めば右肩からの突                        っ込みが防げます。
☆  クラブヘッドはボールにぶつけるのではなく、円運動の中で                        たまたまボールがヘッドに当たった位の気持ちで打ちましょう                        。
☆  クラブヘッドは一番最後に降りてくるのです。
☆  スイングは全てピッチングアプローチのつもりでゆっくり優                        しく打ちましょう。ビックリするほどボールが飛びます。
☆  インパクトは胸の前で打ちましょう
☆  インパクトは左手の甲で打つつもりで打ちましょう。
☆  インパクトは左サイドの壁を意識し決して左膝は飛球方向に                        開いてはなりません。
☆  スイングの間は両腕は力を抜き軽く伸ばしましょう。
☆  フォローはヘッドがボールを追いかけるとスライスボールと                        なるので円運動として左斜め方向に振り抜きましょう。
☆  インパクトの音は左耳で聞きましょう。
☆  ヘッドは右肩が顎に当たるまで絶対にヘッドアップしてはい                        けません。
（  フォロー  ）      ☆  フォローは必ず両腕を伸ばし高くクラブを天に上げるつもり                        で打ち抜きましょう。距離がでます。
☆  インパクトやフォローで左腕を曲げたり引いたりするとスラ                        イスボールとなります。
☆  フォローは飛球方向に臍が向きそのままの姿勢で歩きだせる                        なら完璧なスイングをしたとなります。
図３  フィニッシュ    ☆  フィニッシュでは必ず右足の靴底面が飛球方向と反対方向を                        向きましょう。
☆  フィニッシュでは臍を始め身体全体が飛球方向を向く綺麗な                        「Ｃ型」になりましょう。
☆  「靴底面が飛球方向と反対」「身体が『Ｃ型』になると完璧                        なスィングが出来た証左となるからです。
図４  解説書
上記記載の要点をパンフレット式の項目別解りやすい資料とする
以下扱い方について説明する。
家庭用  ゴルフショッピング用  ゴルフ練習用  ゴルフ場と人形の大きさを大（等身大）・中（子どもの身長位）・小（２〜３０ｃｍ位）と分別し電源は電流又はバッテリー式とし操作は無線有線操作盤でリモートコントロールで通常のスイングの速さ、スローモーション、画像停止操作が可能とする。
上記［考案の実施の形態］で記載した各スイングの基本を記載した「解説書」を添付する。
0003207334.tif 000003
【図３】
0003207334.tif 000004
【図４】
0003207334.tif 000005
【図５】
0003207334.tif 000006
【図６】
0003207334.tif 000007
【手続補正書】
【提出日】平成28年6月23日(2016.6.23)
【手続補正１】
【補正対象書類名】実用新案登録請求の範囲
【補正対象項目名】全文
【補正方法】変更
【補正の内容】
【実用新案登録請求の範囲】
【請求項１】
電源による人形によりゴルフ等各スポーツのベストスイングを各スイングポイント毎に停止作動し各要点を言語説明する遠隔停止操作解説書付ベストスイング電動式人形
【手続補正２】
【補正対象書類名】図面
【補正対象項目名】全図
【補正方法】変更
【補正の内容】
【図１】
0003207334.tif 000008
【図２】
0003207334.tif 000009
【図３】
0003207334.tif 000010
【図４】
0003207334.tif 000011
【図５】
0003207334.tif 000012
【図６】
0003207334.tif 000013
【手続補正３】
【補正対象書類名】明細書
【補正対象項目名】全文
【補正方法】変更
【補正の内容】
【考案の詳細な説明】
【技術の分野】
【０００１】  本考案は、スポーツのベストスイング人形に関する。
【背景技術】
【０００２】  スポーツのゴルフ、野球、テニス、卓球、バトミントン等（以下、「ゴルフ等」と称す）で初心者、中級者、上級者ともにスイングの基本を理解せずまた基本を忘れ我流となり悩んでいることから基本と理想的なスイングを人形と解説書でリモートコントロールとボタンで停止させ自己の欠点を学び理解しスイングを見直すものである。
【考案の概要】
【考案が解決しようとする課題】
【０００３】  ゴルフ等のスィングの基本を理解せず又は我流でいつまでも「上達しない」の悩みを基本を示した動く人形と解説書で学び一挙に上達するものである。
【課題が解決するための手段】
【０００４】  ゴルフ等各スポーツのベストスイングを作動し各要点を遠隔停止操作する解説書付ベストスイング電動式人形
【考案の効果】
【０００５】  各スポーツ専門雑誌では停止写真でのスイングの説明は有るが一連の全体のスイングの動きの形は理解困難である。また自己のスイングの欠点は気が付かないものである。基本で理想のスイングの電動人形でその形を観て初めて自己の間違いを見つけ覚え真似をして練習をすれば上達するのである。ゴルフ等スィングでゴルフ等の初心者はその基本を知り中級者と上級者はつい我流のスィングに陥り安定したショットが打てなくなりスランプになることからその際このゴルフ等ベストスィング電動人形で再度確認し忘れていたりした基本に戻りベストショットが打てるのである。
【図面の簡単な説明】
【０００６】（種々スポーツのスイングはあるがゴルフスイングを例題として示す）
【図１】  本考案に係るゴルフベストスィング電動人形図である。
【図２】  トップスイング
【図３】  フィ二ッシュ
【図４】  スタンス
【図５】  操作盤とボタン
【図６】  解説書
【符号の説明】
【０００７】図１  １…ヘッド  ２…肩  ３…胸と臍  ４腰と膝  ５スタンス
６…右足先  ７…左足先
図４…１…操作盤  ２…電源  ３…作動ボタン
４…スイングボタン別ストップボタン
【考案を実施するための形態】
【０００８】  ゴルフスイングの電動人形であり、操作盤の番号操作で一連のスイングと各部位の基本を解説書でアドレスからフィニッシュまでを観察し「ベストスイングとは何か？」を理解しょうとするものである。図１は人形の全体面である。図２と図３はスイング作動中停止画面である。図４の操作盤上の電源とスタートボタンを押すと停止ボタンを押すまではアドレスからフィニッシュまで理想的なスイングを連続作動し続け何度も繰り返しより理想的なスイングが理解される。
人形は有線かバッテリー式（電池式）で作動し人形から離れた場所の操作盤でスイングの部位と番号を表示した作動盤で操作する。説明書を添付する。
スイング全体の主要ポイントを説明する解説書図５「ゴルフ上達解決書」とする。解説書は極簡易に記載し基本部分を表示する。細部は市販のゴルフ専門誌に任かせる。本件の解説書の記載内容は次のとおりとする。
図４  スタンス…☆  身体の何処の力も抜きましょう。
☆  ゴルフボールは「ピンポン玉」を打つ気持ちです。
☆  特に肩と腕の力を抜きましょう。
図１の１  ヘッド…☆  ヘッドは前後左右上下「終始不動」です
図１の２  肩  …☆  両肩は平衡です。特にバックスイングで左肩が下がったりダウンスイングで右肩が下がっていませんか。
図１の３  胸・臍…☆  原則として終始ゴルフボールを見ています。
図１の４  腰・膝
☆  スタンスは飛球方向かその都度チェックしましょう
☆  腰は後方に引くのでなく椅子に少し腰かける形です。
☆  身体は突っ立たずやや前かがみになりましょう。
☆  両膝は内側に軽く絞りましょう。これは身体の軸を守りブレを防ぎボールを遠く正確に飛ばす為です。
☆  両腕は「モンキースタイル」でダランと自然に垂れ両肘を曲げ力を抜きましょう。両腕を突っ張ってはいけません。
☆  ボールとグリップは握りこぶし一個の間隔です。
☆  ダウンスイングでアウトサイドから入らないよう右の肘を軽く胸に付けましょう。
☆  グリップは両手の平を合わせると最も力が発揮しますのでクラブを握り両手の親指と人差指の三角が右肩を指すようにしましょう。
☆  グリップの握る硬さは「小鳥のカナリア」を強く握ると死に弱く握ると飛んで逃げます。友人などにクラブをヘッド方向から引っ張って貰い抜けるか抜けないか位の強さにしましょう。
右手は添えているだけで左手の小指と薬指だけで軽く握りましょう。
図１の５  スタンス  ☆  両肩より少し広めが身体の回転スイングが安定します。
☆  スライスを打つ時は左足先を開きオープンにしドローを打つ時は足先を閉じクローズにします。
（バックスイング）  ☆  腕でパターを引っ張らず両肩で飛球方向反対側に真っすぐ引き両腕が伸び切った時に左手親指方向にトップまで上げます。右手の平が空を向く「出前持ち」の形です。「出前持ち」の形にすると、「バックスイングが足りない」「オーバースイング」「クラブヘッドの方向が悪い」等の変形のトップの形が全て解決されます。
☆  腰と右膝の右側へのスエイに気を付けましょう。
☆  右腰は横ではなく後方に引く感じです。
☆  左肩は右足の上に来るまで十分に回しましょう。
☆  トップまでは全く力が必要なくトップの位置でも力はゼロです。
（ダウンスイング）  ☆  ボールを正確に遠に飛ばすには力ではないこを女子プロの映像を観れば小柄で力の無い女子プロが何故２６０ヤードの飛距離と正確にフェアーウェイやグリーンに打てるのでしょうかを考えましょう。
☆  それは体力ではなく身体の回転の重力（独楽の原理）とクラブに「仕事をさせている」からです。
☆  ダウンスイングで最初に動くのは体重移動。
です。
☆  体重移動はバックスイングで引いた右のお尻と左のお尻を入れ替えるだけです。
☆  決して最初に右肩を突っ込みクラブヘッドをボールにぶっつけてはなりません。
☆  グリップエンドをボールに向かって打ち込めば右肩からの突っ込みが防げます。
☆  クラブヘッドはボールにぶつけるのではなく、円運動の中でたまたまボールがヘッドに当たった位の気持ちで打ちましょう。
☆  クラブヘッドは一番最後に降りてくるのです。
☆  スイングは全てピッチングアプローチのつもりでゆっくり優しく打ちましょう。ビックリするほどボールが飛びます。
☆  インパクトは胸の前で打ちましょう
☆  インパクトは左手の甲で打つつもりで打ちましょう。
☆  インパクトは左サイドの壁を意識し決して左膝は飛球方向に開いてはなりません。
☆  スイングの間は両腕は力を抜き軽く伸ばしましょう。
☆  フォローはヘッドがボールを追いかけるとスライスボールとなるので円運動として左斜め方向に振り抜きましょう。
☆  インパクトの音は左耳で聞きましょう。
☆  ヘッドは右肩が顎に当たるまで絶対にヘッドアップしてはいけません。
（フォロー）  ☆  フォローは必ず画腕を伸ばし高くクラブを天に上げるつもりで打ち抜きましょう。距離がでます。
☆  インパクトやフォローで左腕を曲げたり引いたりするとスライスボールとなります。
☆  フォローは飛球方向に臍が向きそのままの姿勢で歩きだせるなら完璧なスイングをしたとなります。
図３  フィニッシュ  ☆  フィニッシュでは必ず右足の靴底面が飛球方向と反対方向を向きましょう。
☆  フィニッシュでは臍を始め身体全体が飛球方向を向く綺麗な「Ｃ型」になりましょう。
☆  「靴底面が飛球方向と反対」「身体が『Ｃ型』になると完璧なスィングが出来た証左となるからです。
図４  解説書
上記記載の要点をパンフレット式の項目別解りやすい資料とする
以下扱い方について説明する。
家庭用  ゴルフショッピング用  ゴルフ練習用  ゴルフ場と人形の大きさを大（等身大）・中（子どもの身長位）・小（２〜３０ｃｍ位）と分別し電源は電流又はバッテリー式とし操作は無線有線操作盤でリモートコントロールで通常のスイングの速さ、スロモーション、画像停止操作が可能とする。
上記考案の実施の形態で記載した各スイングの基本を記載した「解説書」を添付する。
【手続補正書】
【提出日】平成28年8月12日(2016.8.12)
【手続補正１】
【補正対象書類名】実用新案登録請求の範囲
【補正対象項目名】全文
【補正方法】変更
【補正の内容】
【実用新案登録請求の範囲】
【請求項１】
スタートボタンと停止ボタンとを有する操作盤と当該操作盤上の前記ボタンにより操作可能な電動式人形とからなるベストスイング電動式人形であって、当該人形は前記スタートボタンを押すことでゴルフ等各スポーツのベストスイング動作をし、前記停止ボタンを押すことで前記動作中の各スイングポイントで停止作動することが可能であり、各要点を説明する解説書付きベストスイング電動人形。